(57)【要約】【課題】ＡＳが複数ある場合において、ＩＰ網内のデータベースに格納されている情報を簡便で容易に取得する通信網情報提供方法を提供する。【解決手段】通信網情報提供方法は、通信ネットワーク５０１と、通信ネットワーク５０１に関する構成より得られる通信網情報を利用するＡＳ（アプリケーションサーバ）６１−１〜６１−ｎと、通信ネットワーク５０１及びＡＳ６１−１〜６１−ｎに接続される通信網情報提供装置１とを備え、ＡＳ６１−１〜６１−ｎと通信網情報提供装置１とが予め定められる所定のインタフェースにより通信を行う通信システムにおける通信網情報提供方法であり、通信網情報提供装置１が、利用要求信号を通信ネットワーク５０１に送信し、通信網情報の送出元が有するインタフェースに従う通信網情報を受信し、この通信網情報を所定のインタフェースに従って変換し、変換した通信網情報をＡＳ６１−１〜６１−ｎに送信することを特徴とする。【選択図】図３
2008103930.tif 000002
【特許請求の範囲】
【請求項１】
通信ネットワークと、前記通信ネットワークに関する構成より得られる通信網情報を利用するＷｅｂサービス提供装置と、前記通信ネットワーク及び前記Ｗｅｂサービス提供装置に接続される通信網情報提供装置とを備え、前記Ｗｅｂサービス提供装置と前記通信網情報提供装置とが、予め定められる所定のインタフェースにより通信を行う通信システムにおける通信網情報提供方法であって、
前記通信網情報提供装置は、利用要求信号を前記通信ネットワークに送信することにより、前記通信網情報の送出元が有するインタフェースに従う前記通信網情報を前記通信ネットワークから受信し、受信した前記通信網情報を前記所定のインタフェースに従って変換し、変換した前記通信網情報を前記Ｗｅｂサービス提供装置に送信する
ことを特徴とする通信網情報提供方法。
【請求項２】
前記通信網情報提供装置が、
前記Ｗｅｂサービス提供装置から前記所定のインタフェースに従う利用要求信号を受信し、受信した利用要求信号を前記通信網情報の送出元のインタフェースに従って変換し、変換した利用要求信号を前記通信ネットワークに送出する
ことを特徴とする請求項１に記載の通信網情報提供方法。
【請求項３】
前記通信網情報の送出元とは、前記通信ネットワーク内に備えられ前記通信網情報を記憶する記憶装置、あるいは前記通信ネットワークに接続され内部に通信網情報を記憶する端末装置
であることを特徴とする請求項１又は２に記載の通信網情報提供方法。
【請求項４】
前記利用要求信号は、前記通信網情報を記憶する記憶装置への情報読み出し、又は情報書き込み、又は情報書き換え、又は情報削除要求信号である
ことを特徴とする請求項１から３のいずれかに記載の通信網情報提供方法。
【請求項５】
前記通信網情報提供装置が、
前記Ｗｅｂサービス提供装置から受信する前記利用要求信号に基づき、前記通信網情報のうち、前記Ｗｅｂサービス提供装置が利用する通信網情報を選択し、選択した通信網情報を前記Ｗｅｂサービス提供装置に送信する
ことを特徴とする請求項１から４のいずれかに記載の通信網情報提供方法。
【請求項６】
通信ネットワークと、前記通信ネットワークに関する構成より得られる通信網情報を利用するＷｅｂサービス提供装置とに接続され、前記Ｗｅｂサービス提供装置と予め定められる所定のインタフェースにより通信を行う通信網情報提供装置であって、
利用要求信号を前記通信ネットワークに送信することにより、前記通信網情報の送出元が有するインタフェースに従う前記通信網情報を前記通信ネットワークから受信する通信網情報取得手段と、
前記通信網情報取得手段が受信した前記通信網情報を前記所定のインタフェースに従って変換する変換手段と、
前記変換手段が変換した前記通信網情報を前記Ｗｅｂサービス提供装置に送信する送信手段と
を有することを特徴とする通信網情報提供装置。
【請求項７】
前記通信網情報提供装置は、
前記Ｗｅｂサービス提供装置から前記所定のインタフェースに従う利用要求信号を受信する受信手段と、
前記受信手段が受信した前記利用要求信号を前記通信網情報の送出元のインタフェースに従って変換する第２の変換手段と、
前記第２の変換手段が変換した利用要求信号を前記通信ネットワークに送出する第２の送信手段と
をさらに備えることを特徴とする請求項６に記載の通信網情報提供装置。
【請求項８】
前記通信網情報の送出元とは、前記通信ネットワーク内に備えられ前記通信網情報を記憶する記憶装置、あるいは前記通信ネットワークに接続され内部に通信網情報を記憶する端末装置
であることを特徴とする請求項６又は７に記載の通信網情報提供装置。
【請求項９】
前記利用要求信号は、前記通信網情報を記憶する記憶装置への情報読み出し、又は情報書き込み、又は情報書き換え、又は情報削除要求信号である
ことを特徴とする請求項６から８のいずれかに記載の通信網情報提供装置。
【請求項１０】
前記通信網情報提供装置は、
前記Ｗｅｂサービス提供装置から受信する前記利用要求信号に基づき、前記通信網情報のうち、前記Ｗｅｂサービス提供装置が利用する通信網情報を選択する選択手段を
さらに備え、
前記送信手段は、
前記選択手段が選択した通信網情報を前記Ｗｅｂサービス提供装置に送信する
ことを特徴とする請求項６から９のいずれかに記載の通信網情報提供装置。
【請求項１１】
請求項１〜５のいずれかに記載の通信網情報提供方法をコンピュータに実行させることを特徴とするプログラム。
【発明の詳細な説明】
【技術分野】
【０００１】
本発明は、通信網情報提供方法、通信網情報提供装置、及び、プログラムに関する。
【背景技術】
【０００２】
従来、非特許文献１に示すように、通信ネットワークの一形態であるＩＰ（インターネット  プロトコル）網上での各種サービスを実現するために、ＩＭＳ（IP Multimedia Subsystem）のようなネットワークアーキテクチャが検討されている。ＩＭＳでは、ＳＩＰ（session Initiation Protocol）サーバであるＣＳＣＦ（Call/Session Control Function）がセッション制御機能を実現し、基本接続以外のアプリケーションによるサービスはアプリケーションサーバ（以下ＡＳ）が提供する。
３ＧＰＰ（3rd Generation Partnership Project）で策定されたＩＭＳのモデルにおいて、ＡＳはＳｈインタフェースを通すことにより、ＨＳＳ（Home Subscriber Server）が保持する情報を利用することができる。ＡＳは、利用目的となる情報が保持されているＨＳＳのデータベース（ＤＢ）へ、個別にインタフェースを定義し、アクセスを行うことによって、ＩＰ網内に接続のデータベースに格納されている情報を利用する。
【非特許文献１】瀬社家、山本、松岡、「ＮＧＮ実現に向けたＭＳＦグローバルインターオペラビリティ実験」、ＮＴＴ技術ジャーナル、社団法人電気通信協会、２００５年１２月、ＶＯＬ．１７、Ｎｏ．１２、ｐ．５８−６０
【発明の開示】
【発明が解決しようとする課題】
【０００３】
しかしながら、図１０の概念図に示すように、従来ＩＭＳのモデルでは、アプリケーションによるサービス別に設けられたＡＳ６１ａ−１及び６１ａ−２毎に、ＩＰ網内のデータベースに格納されている情報を取得するためのインタフェース、たとえばＳｈインタフェース等を実装する必要がある。すなわち、それぞれのＡＳが、ＩＰ網内のデータベースに応じて情報を取得するインタフェースを個別に設ける必要があり、これには多大な手間と時間とを要するという問題がある。
ここで、通信網内の情報はそれぞれの保守端末等からの取得しか想定しておらず、装置個別に独自プロトコルを用いて実装されている。したがってＩＰ網内から通信網内の情報を取得しようとすると、各装置個別のプロトコルを実装する必要があり、取得しようとする装置（たとえばＷｅｂサーバ）が複数存在する場合は複数のプロトコルスタックを実装する必要があり、これには多大な手間と時間とを要するという問題がある。
また、図１０において、アプリケーション６２ａ−１及び６２ａ−２は、加入者情報ＤＢ５１１、位置情報ＤＢ５１２等を利用するため、それぞれのデータベースに対応する接続インタフェースをそれぞれ備えている。したがって、図１０に示す接続状態のように、ＡＳと各データベースとの接続はメッシュ状となる。
【０００４】
本発明は、このような事情を考慮してなされたもので、その目的は、ＡＳが複数ある場合において、ＩＰ網内のデータベースに格納されている情報を簡便で容易に取得することが課題である。すなわち、アプリケーションサービスごとにＨＳＳやＮＡＳＳ（Network Attachment Subsystem）などとのインタフェースをもたずに、共通的にＷｅｂサービス化することにより様々なアプリケーションサービスが、柔軟にＩＰ網内のデータベースに格納される情報を利用することが可能となる通信網情報提供システム、通信網情報提供装置、通信網情報提供方法、及び、コンピュータプログラムを提供することにある。
【課題を解決するための手段】
【０００５】
この発明は、上記の課題を解決すべくなされたもので、本発明は、通信ネットワークと、前記通信ネットワークに関する構成（例えば、基本の実施形態におけるノード装置５１、運用保守装置５２、顧客管理装置５３、顧客端末５４）より得られる通信網情報（例えば、第１の実施形態における加入者情報５１１０、位置情報５１２０、収容回線・ＩＰアドレス情報５１３０、ネットワーク帯域情報５１４０、トラヒック情報５１５０、設備情報５２１０、与信情報５３１０、課金情報５３２０）を利用するＷｅｂサービス提供装置（例えば、基本の実施形態におけるＡＳ６１−１〜６１−ｎ）と、前記通信ネットワーク及び前記Ｗｅｂサービス提供装置に接続される通信網情報提供装置とを備え、前記Ｗｅｂサービス提供装置と前記通信網情報提供装置とが予め定められる所定のインタフェース（例えば、第１の実施形態におけるＳＯＡＰ（Simple Object Access Protocol）／ＨＴＴＰ（Hypertext Transfer Protocol））により通信を行う通信システムにおける通信網情報提供方法であって、前記通信網情報提供装置は、利用要求信号を前記通信ネットワークに送信することにより、前記通信網情報の送出元（例えば、基本の実施形態におけるノード装置５１、運用保守装置５２、顧客管理装置５３、顧客端末５４）が有するインタフェースに従う前記通信網情報を受信し、受信した前記通信網情報を前記所定のインタフェースに従って変換し、変換した前記通信網情報を前記Ｗｅｂサービス提供装置に送信することを特徴とする通信網情報提供方法である。
【０００６】
また、本発明は、上記の前記通信網情報提供装置が、前記Ｗｅｂサービス提供装置から前記所定のインタフェースに従う利用要求信号を受信し、受信した利用要求信号を前記通信網情報の送出元のインタフェースに従って変換し、変換した利用要求信号を前記通信ネットワークに送出することを特徴とする。
【０００７】
また、本発明は、上記の前記通信網情報の送出元が、前記通信ネットワーク内に備えられ前記通信網情報を記憶する記憶装置（例えば、第１の実施形態における加入者情報ＤＢ５１１、位置情報ＤＢ５１２、収容回線・ＩＰアドレス情報ＤＢ５１３、ネットワーク帯域情報ＤＢ５１４、トラヒック情報ＤＢ５１５、設備情報ＤＢ５２１、与信情報ＤＢ５３１、課金情報ＤＢ５３２）、あるいは前記通信ネットワークに接続され内部に通信網情報を記憶する端末装置（例えば、基本の実施形態における顧客端末５４）であることを特徴とする。
【０００８】
また、本発明は、上記の前記利用要求信号が、前記通信網情報を記憶する記憶装置への情報読み出し、又は情報書き込み、又は情報書き換え、又は情報削除要求信号であることを特徴とする。
【０００９】
また、本発明は、前記通信網情報提供装置が、前記Ｗｅｂサービス提供装置から受信する前記利用要求信号に基づき、前記通信網情報のうち、前記Ｗｅｂサービス提供装置が利用する通信網情報を選択し、選択した通信網情報を前記Ｗｅｂサービス提供装置に送信することを特徴とする。
【００１０】
また、本発明は、通信ネットワークと、前記通信ネットワークに関する構成より得られる通信網情報を利用するＷｅｂサービス提供装置とに接続され、前記Ｗｅｂサービス提供装置と予め定められる所定のインタフェースにより通信を行う通信網情報提供装置であって、利用要求信号を前記通信ネットワークに送信することにより、前記通信網情報の送出元が有するインタフェースに従う前記通信網情報を受信する通信網情報取得手段（例えば、基本の実施形態におけるサービス管理部１２とＩＭＳ対応部１３）と、前記通信網情報取得手段が受信した前記通信網情報を前記所定のインタフェースに従って変換する変換手段（例えば、基本の実施形態におけるＷｅｂ対応部１１）と、前記変換手段が変換した前記通信網情報を前記Ｗｅｂサービス提供装置に送信する送信手段（例えば、基本の実施形態におけるＷｅｂ対応部１１）とを有することを特徴とする。
【００１１】
また、本発明は、上記の前記通信網情報提供装置が、前記Ｗｅｂサービス提供装置から前記所定のインタフェースに従う利用要求信号を受信する受信手段と（例えば、基本の実施形態におけるＷｅｂ対応部１１）、前記受信手段が受信した前記利用要求信号を前記通信網情報の送出元のインタフェースに従って変換する第２の変換手段（例えば、基本の実施形態におけるサービス管理部１２のノード装置内情報提供部１２１、運用保守装置内情報提供部１２２、顧客管理装置内情報提供部１２３、顧客端末内情報提供部１２４）と、前記第２の変換手段が変換した利用要求信号を前記通信ネットワークに送出する第２の送信手段（例えば、基本の実施形態におけるＩＭＳ対応部１３）とをさらに備えることを特徴とする。
【００１２】
また、本発明は、上記の前記通信網情報の送出元が、前記通信ネットワーク内に備えられ前記通信網情報を記憶する記憶装置、あるいは前記通信ネットワークに接続され内部に通信網情報を記憶する端末装置であることを特徴とする。
【００１３】
また、本発明は、上記の前記利用要求信号が、前記通信網情報を記憶する記憶装置への情報読み出し、又は情報書き込み、又は情報書き換え、又は情報削除要求信号であることを特徴とする。
【００１４】
また、本発明は、上記の前記通信網情報提供装置が、前記Ｗｅｂサービス提供装置から受信する前記利用要求信号に基づき、前記通信網情報のうち、前記Ｗｅｂサービス提供装置が利用する通信網情報を選択する選択手段をさらに備え、前記送信手段が、前記選択手段が選択した通信網情報を前記Ｗｅｂサービス提供装置に送信することを特徴とする。
【発明の効果】
【００１５】
本発明は、利用要求信号を通信ネットワークに送信することにより、通信網情報の送出元が有するインタフェースに従う前記通信網情報を前記通信ネットワークから受信し、受信した前記通信網情報を所定のインタフェースに従って変換し、変換した前記通信網情報をＷｅｂサービス提供装置に送信することとした。これにより、Ｗｅｂサービス提供装置が受信した通信網情報を読み込むために送出元ごとのインタフェースを個別に備えずともよくなるため、送出元によって異なるインタフェースをＷｅｂサービス提供装置に備えるための手間と時間とを省くという効果がある。
【００１６】
また、この発明は、Ｗｅｂサービス提供装置から利用要求信号を受信し、受信した利用要求信号を前記通信網情報の送出元のインタフェースに従って変換するようにした。これにより、Ｗｅｂサービス提供装置が通信網情報の利用要求を送信するために送出元ごとのインタフェースを個別に備えずともよくなるため、送出元によって異なるインタフェースをＷｅｂサービス提供装置に備えるための手間と時間とを省くという効果がある。
【００１７】
また、この発明は、通信網情報の送出元として、通信ネットワーク内に備えられ前記通信網情報を記憶する記憶装置、あるいは前記通信ネットワークに接続され内部に通信網情報を記憶する端末装置からの通信網情報を取得してＷｅｂサービス提供装置にて利用することが可能となる効果がある。
【００１８】
また、この発明は、利用要求信号が、通信網情報を記憶する記憶装置への情報読み出し、又は情報書き込み、又は情報書き換え、又は情報削除要求信号であることとした。これにより、記憶装置への情報読み出し、情報書き込み、情報書き換え、情報削除要求の利用要求について、送出元によって異なるインタフェースをＷｅｂサービス提供装置に備えるための手間と時間とを省くという効果がある。
【００１９】
また、この発明は、通信網情報提供装置が、Ｗｅｂサービス提供装置から受信する利用要求信号に基づき、通信網情報のうち、Ｗｅｂサービス提供装置が利用する通信網情報を選択し、選択した通信網情報をＷｅｂサービス提供装置に送信するようにした。これにより、不要な情報をＷｅｂサービス提供装置に送信しないため、通信の負荷を軽減するという効果がある。
【発明を実施するための最良の形態】
【００２０】
＜基本の実施形態＞
以下、図面を参照して基本の実施形態の構成を説明する。
図１は、基本の実施形態によるＩＭＳにおける通信網情報提供システムの全体構成を示す図である。本実施形態において、通信網情報提供システムは、通信ネットワーク５０１と情報ネットワーク６０１との少なくとも２つのネットワークが通信網情報提供装置１に接続する。
ここで、情報ネットワーク６０１とは、ＡＳを有するＷｅｂサービス提供システム６−１〜６−ｎが接続するネットワークである。
また、通信ネットワーク５０１は、顧客端末５４が接続するネットワークである。また通信ネットワーク５０１は、アクセスポイントなどのノード装置５１や、運用保守装置５２、顧客管理装置５３などが接続する。
【００２１】
図２は、ノード装置５１、運用保守装置５２、顧客管理装置５３が有するデータベース（ＤＢ）の一例である。
ノード装置５１は、加入者情報、ネットワーク帯域情報、ＳＩＰ（Session Initiation Protocol）サーバのロケーション、すなわち位置情報、ネットワークの負荷状況を示すトラヒック情報、ＮＡＳＳによって得られる収容回線／ＩＰアドレス情報、ＨＳＳによって得られる登録データなどをそれぞれデータベースとして有する。
なお、ノード装置５１は、例えば、ＢＧＣＦ（Breakout Gateway Control Function）と、ＳＧＷ（Signaling Gateway）とＭＧＣＦ（Media Gateway Control Function）と、ＭＧＷ（Media Gateway）とから構成されるＰＳＴＮ（Public Switched Telephone Networks）ゲートウェイや、ユーザデータベースであるＨＳＳ、ＳＬＦ（Subscriber Location function）、ＳＩＰサーバであるＣＳＣＦ、音声映像情報の変換・加工装置であるＭＲＦＰ（Multimedia Resource Function Processor）とＭＲＦＰの制御装置であるＭＲＦＣ（Multimedia Resource Function Controller）とから構成される音声映像加工装置ＭＲＦ（Multimedia Resource Function）などである。
【００２２】
運用保守装置５２は、通信ネットワークにおける設備データ、経路情報などをそれぞれデータベースとして有する。顧客管理装置５３は、顧客の与信情報、課金情報、個人認証情報、プレゼンス情報、顧客端末が通信しているアクセスポイントの位置情報、顧客に関する映像情報、顧客に関する背景情報となるコンテキスト情報などをそれぞれデータベースとして有する。
顧客端末５４は、予め例えば、ＧＰＳ（Global Positioning System）等の位置情報取得機能を有しており、この位置情報取得機能によって顧客端末５４の位置情報を取得することが可能となる。また、顧客端末５４は、携帯電話端末など、持ち運び可能な通信端末などが適用される。
【００２３】
本実施形態において、通信網情報とは、通信ネットワーク５０１に接続するノード装置５１、運用保守装置５２、顧客管理装置５３が有するデータベースに格納されている情報、または、顧客端末５４が取得する位置情報である。なお、ここではデータベース化された情報を例に説明しているが、データベース化されていない情報であってもよい。また、以下、通信ネットワーク５０１に接続する各装置が格納する通信網情報を、通信ネットワーク５０１が有する通信網情報と記載する場合がある。
また、通信網情報提供装置１に接続するネットワークは、通信ネットワーク５０１が複数であってもよいし、情報ネットワーク６０１が複数であってもよい。また、通信網情報の提供先であるＷｅｂサービス提供システム６−１〜６−ｎやＡＳ６１−１〜６１−ｎが複数であってもよい。また、情報ネットワーク６０１がインターネットである場合も、またイントラネットであってもよい。
【００２４】
次に、図１に示す通信網情報提供装置１の詳細な機能を、図３の機能ブロック図を用いて説明する。ここで、図１と同様の構成については、同一の符号を付し、その説明を省略する。
通信網情報提供装置１において、Ｗｅｂ対応部１１は、情報ネットワーク６０１を介してＡＳ６１−１〜６１−ｎと通信する。また、Ｗｅｂ対応部１１は、受信した通信網情報の利用要求信号を、サービス管理部１２に出力する。また、Ｗｅｂ対応部１１は、受信した通信網情報をＷｅｂサービスのインタフェース、例えばＨＴＴＰのプロトコルに変換することによりＷｅｂ化する。以下、Ｗｅｂ化した通信網情報をＷｅｂ化通信網情報と記載する。
【００２５】
ＩＭＳ対応部１３は、通信ネットワーク５０１を介してノード装置５１、運用保守装置５２、顧客管理装置５３、顧客端末５４と通信する。
サービス管理部１２は、通信ネットワーク５０１の通信網情報の利用要求信号であるクエリを、読み出す装置ごとに応じて出力する。ここで、クエリとは、通信網情報の読出要求信号、書込要求信号、書換要求信号、消去要求信号を含む通信網情報の利用要求信号である。
【００２６】
サービス管理部１２において、ノード装置内情報提供部１２１は、ノード装置５１が有するデータベースへアクセスするためのインタフェースを備えている。また、ノード装置内情報提供部１２１は、Ｗｅｂ対応部１１から入力される通信網情報の利用要求信号に基づき、ノード装置５１のインタフェースに応じたクエリを生成し、ＩＭＳ対応部１３を介してノード装置５１に出力する。また、ノード装置内情報提供部１２１は、通信網情報の一部を選択し、通信網情報の利用要求信号の送信元に送信する通信網情報を作成する。
運用保守装置内情報提供部１２２は、運用保守装置５２が有するデータベースへアクセスするためのインタフェースを備えている。また、運用保守装置内情報提供部１２２は、Ｗｅｂ対応部１１から入力される通信網情報の利用要求信号に基づき、運用保守装置５２のインタフェースに応じたクエリを生成し、ＩＭＳ対応部１３を介して運用保守装置５２に出力する。また、運用保守装置内情報提供部１２２は、通信網情報の一部を選択し、通信網情報の利用要求信号の送信元に送信する通信網情報を作成する。
【００２７】
顧客管理装置内情報提供部１２３は、顧客管理装置５３が有するデータベースへアクセスするためのインタフェースを備えている。また、顧客管理装置内情報提供部１２３は、Ｗｅｂ対応部１１から入力される通信網情報の利用要求信号に基づき、顧客管理装置５３のインタフェースに応じたクエリを生成し、ＩＭＳ対応部１３を介して顧客管理装置５３に出力する。また、顧客管理装置内情報提供部１２３は、通信網情報の一部を選択し、通信網情報の利用要求信号の送信元に送信する通信網情報を作成する。
顧客端末内情報提供部１２４は、顧客端末５４へアクセスするためのインタフェースを備えている。また、顧客端末内情報提供部１２４は、Ｗｅｂ対応部１１から入力される通信網情報の利用要求信号に基づき、顧客端末５４のインタフェースに応じたクエリを生成し、ＩＭＳ対応部１３を介して顧客端末５４に出力する。また、顧客端末内情報提供部１２４は、通信網情報の一部を選択し、通信網情報の利用要求信号の送信元に送信する通信網情報を作成する。
【００２８】
＜第１の実施形態＞
次に、上述した基本の実施形態に基づく具体例として、図面を参照して第１の実施形態を説明する。
図４は、第１の実施形態による通信網情報提供システムの全体構成を示すブロック図である。なお、上述の基本の実施形態における図１および図３と同様の構成については同一の符号を付し、その説明を省略する。
図４において、加入者情報ＤＢ５１１、位置情報ＤＢ５１２、収容回線・ＩＰアドレス情報ＤＢ５１３、ネットワーク帯域情報ＤＢ５１４、トラヒック情報ＤＢ５１５は、図２に示すようにノード装置に備えられるものである。また、設備情報ＤＢ５２１は、図２に示すように運用保守装置に備えられるものである。与信情報ＤＢ５３１、課金情報ＤＢ５３２は、図２に示すように顧客管理装置に備えられるものである。
【００２９】
通信網情報提供装置１は、例えばＩＰ網である通信ネットワーク５０１と接続している。また、通信網情報提供装置１は、情報ネットワーク６０１と接続しており、Ｗｅｂサービス提供システム６−１のＡＳ６１−１と通信する。
また、通信網情報提供装置１は、情報ネットワーク６０２と接続しており、Ｗｅｂサービス提供システム６−２のＡＳ６１−２と通信する。なお、通信網情報提供装置１は、通信ネットワーク５０１内のノード装置である場合もあり、通信ネットワーク５０１の外にあって通信ネットワーク５０１に接続していてもよい。
【００３０】
加入者情報ＤＢ５１１は、加入者の識別情報と対応付けて加入者情報５１１０を格納している。ここで、加入者情報ＤＢ５１１とは、例えば回線加入申し込み情報であるサービスオーダなどの情報を含むＨＳＳが有する登録データ情報である。
位置情報ＤＢ５１２は、加入者の識別情報と対応付けて位置情報５１２０を格納している。位置情報５１２０は、例えば、登録時に登録された収容Ｓ-ＣＳＣＦ（Serving CSCF）の情報を含むＳＩＰサーバのロケーション情報である。
【００３１】
収容回線・ＩＰアドレス情報ＤＢ５１３は、加入者の識別情報と対応付けて収容回線・ＩＰアドレス情報５１３０を格納している。ネットワーク帯域情報ＤＢ５１４は、ネットワーク帯域情報５１４０を格納している。トラヒック情報ＤＢ５１５は、トラヒック情報５１５０を格納している。設備情報ＤＢ５２１は、設備情報５２１０を格納している。与信情報ＤＢ５３１は、加入者の識別情報と対応付けて与信情報５３１０を格納している。課金情報ＤＢ５３２は、加入者の識別情報と対応付けて課金情報５３２０を格納している。
【００３２】
次に、第１の実施形態による通信網情報提供システムの動作例について図を用いて説明する。図５は第１の実施形態の動作を示すシーケンス図である。
ここで、動作例として、例えば、加入者情報ＤＢ５１１の加入者情報５１１０の利用要求信号として、読出要求信号がＷｅｂサービス提供システム６−１のＡＳ６１−１から通信網情報提供装置１に送信され、通信網情報提供装置１が受信した加入者情報５１１０の読出要求信号に応じて加入者情報ＤＢ５１１にクエリを送信し、クエリに応じて加入者情報ＤＢ５１１から送信された加入者情報５１１０をＷｅｂ化してＡＳ６１−１に送信する場合を例に説明する。
また、ＡＳ６１−１が送信する読出要求信号は、加入者情報５１１０の一部の読み出しの要求であり、通信網情報提供装置１は、読出要求信号に基づき、加入者情報ＤＢ５１１から受信した加入者情報５１１０の一部を選択して、ＡＳ６１−１に送信する。
【００３３】
まず、ＡＳ６１−１は、通信網情報提供装置１に加入者情報５１１０の読み出しを要求する読出要求信号を通信網情報提供装置１に送信する（ステップＳ１）。ここで、読出要求信号は、加入者の識別情報と、加入者情報５１１０を読み出す加入者情報ＤＢ５１１の識別情報と、読出要求信号送信元識別情報としてＡＳ６１−１の識別情報とを含む。
通信網情報提供装置１において、Ｗｅｂ対応部１１は、受信した読出要求信号をサービス管理部１２に出力する（ステップＳ２）。
【００３４】
サービス管理部１２は、予めデータベースの識別情報と、データベースを有する装置の識別情報とを対応付けて記憶しており、入力された読出要求信号の加入者情報ＤＢ５１１の識別情報に基づき、加入者情報ＤＢ５１１を有する装置に対応するインタフェースを備えるノード装置内情報提供部１２１に、読出要求信号を出力する。ノード装置内情報提供部１２１は、入力された読出要求信号を、加入者情報ＤＢ５１１のインタフェースに対応するクエリに変換して、ＩＭＳ対応部１３に出力する。ここで、クエリは、読出要求信号送信元識別情報と、クエリ送信元識別情報である通信網情報提供装置１の識別情報と、クエリ送信先識別情報である加入者情報ＤＢ５１１の識別情報と、加入者の識別情報と、読出要求信号とを含む（ステップＳ３）。
【００３５】
ＩＭＳ対応部１３は、クエリの送信先識別情報に基づき、通信ネットワーク５０１を介してクエリを加入者情報ＤＢ５１１に送信する（ステップＳ４）。
加入者情報ＤＢ５１１は、通信網情報提供装置１からクエリを受信すると（ステップＳ５）、クエリの加入者の識別情報をキーとして加入者情報５１１０を検索する（ステップＳ６）。加入者情報ＤＢ５１１は、得られた検索結果を回答として、通信ネットワーク５０１を介してクエリの送信元である通信網情報提供装置１に送信する（ステップＳ７）。ここで、回答は、クエリから得られる読出要求信号送信元識別情報と、クエリ送信元識別情報と、クエリ送信先識別情報と、加入者の識別情報とを含む。
【００３６】
通信網情報提供装置１において、ＩＭＳ対応部１３は、加入者情報ＤＢ５１１から回答を受信し、この回答をサービス管理部１２に出力する（ステップＳ８）。
サービス管理部１２は、回答のクエリ送信先識別情報に基づき、加入者情報ＤＢ５１１を有する装置に対応するインタフェースを備えるノード装置内情報提供部１２１に、回答を出力する。ノード装置内情報提供部１２１は、入力された回答に含まれる検索結果から、ステップＳ２で入力された読出要求信号に基づいて、ＡＳ６１−１が利用する情報のみを選択し、もとの検索結果と選択した情報とを入れ替えることにより、ＡＳ６１−１向けの回答となる変換済回答を作成する。ノード装置内情報提供部１２１は、作成した変換済回答をＷｅｂ対応部１１に出力する（ステップＳ９）。
【００３７】
Ｗｅｂ対応部１１は、入力された変換済回答を、クエリ送信先識別情報に対応するインタフェースから、読出要求信号送信元識別情報に対応するインタフェースに対応する形式に変換することにより、Ｗｅｂ化し、変換済回答の読出要求信号送信元識別情報に基づいてＡＳ６１−１にＷｅｂ化した変換済回答を送信する（ステップＳ１０）。
ＡＳ６１−１は、通信網情報提供装置１からＷｅｂ化した変換済回答を受信する（ステップＳ１１）。
【００３８】
以上の説明は、加入者情報ＤＢ５１１の加入者情報５１１０を読み出す場合を例にして説明したが、位置情報５１２０、収容回線・ＩＰアドレス情報５１３０、ネットワーク帯域情報５１４０、トラヒック情報５１５０、設備情報５２１０、与信情報５３１０、課金情報５３２０についても同様にして読み出し可能である。
また、上述の動作の一例として、ＡＳ６１−１が読出要求信号を出力する場合について説明したが、ＡＳ６１−２も同様にして通信網情報を取得することが可能である。
また、上述の第１の実施形態において説明した通信ネットワーク５０１に接続するデータベースは、図２に示すように、経路情報、個人認証情報、プレゼンス情報、ＧＰＳ機能等による位置情報、顧客に関するコンテキスト情報、顧客に関する映像情報であっても適用可能である。
【００３９】
なお、上述した、加入者情報ＤＢ５１１のインタフェースの変換の具体例を図６を参照して以下に挙げる。
図６において、加入者情報ＤＢ５１１が３ＧＰＰのＩＭＳモデルにおけるＨＳＳである場合、通信網情報提供装置１とのインタフェースにＳｈインタフェースを用い、Ｓｈインタフェース上で用いるプロトコルとしてＤｉａｍｅｔｅｒプロトコルを用いる。
また、通信網情報提供装置１は、ＡＳ６１−１〜６１−ｎから受信する利用要求信号をノード装置５１、運用保守装置５２、顧客管理装置５３、顧客端末５４に送信する送信サービスを、例えばＷＳＤＬ（Web Services Description Language）によって公開する。ここで、プロトコルはＳＯＡＰ（Simple Object Access Protocol）／ＨＴＴＰ（Hypertext Transfer Protocol）を用いる。
【００４０】
上記の構成により、上述のステップＳ１において、ＡＳ６１−１のアプリケーション６２−１は、通信網情報提供装置１が公開するＷＳＤＬファイルに記述されている送信サービスを呼び出し、通信網情報の読み出し、書き込み、書き換え、削除などの利用要求信号を通信網情報提供装置１に送信する。次に、ステップＳ２〜４として、通信網情報提供装置１は、Ｓｈインタフェースを用い、Ｄｉａｍｅｔｅｒプロトコルを用い、加入者情報ＤＢ５１１へクエリを送信する。ステップＳ５〜７として、加入者情報ＤＢ５１１は、クエリを実行し、実行した結果をインタフェースを設けるＤｉａｍｅｔｅｒプロトコルにエンコードし、Ｓｈインタフェースを用いて通信網情報提供装置１へ結果を回答として送信する。ステップＳ８〜１０として通信網情報提供装置１は、回答内容を、ＳＯＡＰ／ＨＴＴＰメッセージへエンコードし、ＡＳ６１−１へ送信する。
【００４１】
なお、上述した第１の実施形態においては、データベース化された通信網情報を例に説明したが、データベース化されていない通信網情報の場合、クエリに応じて通信網情報を利用可能となるプログラムが予め、データベース化されていない通信網情報を格納する装置が有する構成とすればよい。例えば、図７に示す携帯型顧客端末５４の場合、顧客端末５４が受信するクエリに基づいてＧＰＳ位置情報データを読み出しするプログラムが予めインストールされている構成とする。
この構成によれば、たとえば、携帯型の顧客端末のように、小型軽量性を要求されるため、位置情報を自端末内にデータベース化せずに、単にデータとして保持する場合であっても、ＡＳ６１−１は位置情報を取得することが可能となる効果がある。
【００４２】
上述した実施形態の構成によれば、通信網情報に関する接続インタフェースを、通信網情報提供装置１が一括して保持し、各ＡＳ６１−１〜６１−ｎは通信網情報提供装置１とのインタフェースを持つ。通信網情報提供装置１は、通信網情報を保持するデータベースへの接続インタフェースと、ＡＳ６１−１〜６１−ｎヘのインタフェースとを備え、インタフェースの違いを吸収し、通信網情報をＡＳ６１−１〜６１−ｎに配備されているアプリケーション６２−１〜６２−ｎヘ提供する。
これにより、通信ネットワーク内の通信網情報を利用するＷｅｂサービス提供システム６−１〜６−ｎが複数ある場合においても、アプリケーション６２−１〜６２−ｎが配備されているＡＳ６１−１〜６１−ｎに、必要なインタフェースは通信網情報提供装置１へのインタフェース１つで済み、ＡＳ６１−１〜６１−ｎが利用を希望する全ての通信網情報が入手可能となる効果がある。
【００４３】
＜第２の実施形態＞
次に、実際の企業情報ネットワークにおける応用例として、２つの企業が合併する場合について、図を用いて説明する。図８は、第１企業７と、第２企業８とが合併した場合の接続例である。ここで、大規模企業である第１企業７は第１企業通信ネットワーク７０１と第１企業情報ネットワーク７０２とを所有し、且つ通信網情報提供装置１を備えており、小規模企業の第２企業８は第２企業情報ネットワーク８０１を保持しているとする。
第１企業７と第２企業８との合併企業において、通信網情報提供装置１が、第１企業通信ネットワーク７０１に接続するＡＳ７１−１〜７１−ｍと第２企業情報ネットワーク８０１に接続するＡＳ８１−１〜８１−ｋとに、加入者情報や位置情報などの通信網情報を提供することが可能となる。
【００４４】
上記の構成により、第１企業７と第２企業８とが合併する場合に、専用線等を新たに敷設することなく統合情報システムを構築することが可能となるため、システムの立上げに要する時間やコスト、運用コストの低減が可能となる効果がある。また、この効果は、例えば海外など、遠隔地に所在する企業との合併や、遠隔地に所在する部門を有する企業との合併において、統合したネットワークを構築する際により有効である。
【００４５】
＜第３の実施形態＞
また、実際の企業情報ネットワークにおける他の応用例として、２つの企業がパートナー事業を行う場合について、図を用いて説明する。図９は、第３企業９−１と、第４企業９−２とがパートナー事業を実施した場合の接続例である。
図９において、第３企業通信ネットワーク９０１と第３企業情報ネットワーク９０２とを有する第３企業９−１と、第４企業情報ネットワーク９２１を有する第４企業９−２とがパートナー事業を行なう場合、通信網情報提供装置１を第３企業通信ネットワーク９０１と第３企業情報ネットワーク９０２と第４企業９−２の第４企業情報ネットワーク９２１に接続する構成にする。
【００４６】
図９に示すように、第３企業９−１が通信網情報提供装置１を備えることにより、第３企業９−１の通信網情報が第４企業情報ネットワーク９２１のＡＳ９２−１〜９２−ｉから利用可能となる。これにより、第４企業９−２において、ＡＳ９２−１〜９２−ｉはそれぞれ、第３企業通信ネットワーク９０１の通信網情報を取得するためのインタフェースを設けなくともよくなり、パートナー事業用のシステムの立上げに要する時間やコスト、運用コストの低減が可能となる効果がある。
【００４７】
なお、上述した実施の形態において、Ｓｈのインタフェースや、Ｄｉａｍｅｔｅｒなどプロトコルは、その一例として、標準化団体である３ＧＰＰの規格文書３ＧＰＰ・ＴＳ・２３．２２８Ｖ７．４．０（２００６−０６）及び規格文書３ＧＰＰ・ＴＳ・２３．３２９Ｖ７．２．０（２００６−０６）とに詳細が記載されているインタフェースやプロトコルである。
【００４８】
なお、上述の通信網情報提供装置１、ＡＳ６１−１〜６１−ｎ、ノード装置５１、運用保守装置５２、顧客管理装置５３、顧客端末５４は、内部にコンピュータシステムを有している。そして、通信網情報提供装置１のＷｅｂ対応部１１、サービス管理部１２、ＩＭＳ対応部１３、ならびに、ノード装置５１、運用保守装置５２、顧客管理装置５３、顧客端末５４の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００４９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信回線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００５０】
上述した実施形態の構成によれば、通信ネットワークのもつ通信網情報を情報ネットワークサービスサーバに提供できるため、通信ネットワーク産業及び情報ネットワークのいずれの産業にも役にたち、ユビキタスな情報通信産業にも利用できる。
【図面の簡単な説明】
【００５１】
【図１】本発明の基本の実施形態による通信網情報提供システムの全体構成を示す概念図である。
【図２】同実施形態による通信網情報の一例を示す表である。
【図３】本発明の第１の実施形態による通信網情報提供装置１の内部構成を示すブロック図である。
【図４】同実施形態による通信網情報提供システムの全体構成を示すブロック図である。
【図５】同実施形態による通信網情報提供システムの動作フローである。
【図６】同実施形態による具体的な適用例を示すブロック図である。
【図７】同実施形態によるデータベース化されていない通信網情報における通信網情報提供システムの一例を示す概念図である。
【図８】本発明の第２の実施形態である企業合併時への適用例における全体構成を示すブロック図である。
【図９】本発明の第３の実施形態である企業間のパートナー事業への適用例における全体構成を示すブロック図である。
【図１０】従来のＩＭＳにおける各種装置の接続状態を示す概念図である。
【符号の説明】
【００５２】
１…通信網情報提供装置
７…第１企業
８…第２企業
９−１…第３企業
９−２…第４企業
１１…Ｗｅｂ対応部
１２…サービス管理部
１３…ＩＭＳ対応部
５１…ノード装置
５２…運用保守装置
５３…顧客管理装置
５４…顧客端末
１２１…ノード装置内情報提供部
１２２…運用保守装置内情報提供部
１２３…顧客管理装置内情報提供部
１２４…顧客端末内情報提供部
５０１…通信ネットワーク
５１１…加入者情報ＤＢ
５１２…位置情報ＤＢ
５１３…収容回線・ＩＰアドレス情報ＤＢ
５１４…ネットワーク帯域情報ＤＢ
５１５…トラヒック情報ＤＢ
５２１…設備情報ＤＢ
５３１…与信情報ＤＢ
５３２…課金情報ＤＢ
６０１…情報ネットワーク
６０２…情報ネットワーク
７０１…第１企業通信ネットワーク
７０２…第１企業情報ネットワーク
８０１…第２企業情報ネットワーク
９０１…第３企業通信ネットワーク
９０２…第３企業情報ネットワーク
９２１…第４企業情報ネットワーク
５１１０…加入者情報
５１２０…位置情報
５１３０…収容回線・ＩＰアドレス情報
５１４０…ネットワーク帯域情報
５１５０…トラヒック情報
５２１０…設備情報
５３１０…与信情報
５３２０…課金情報
６−１〜６−ｎ…Ｗｅｂサービス提供システム
６１−１〜６１−ｎ…ＡＳ
６２−１〜６２−ｎ…アプリケーション
６ａ−１〜６ａ−ｎ…Ｗｅｂサービス提供システム
６１ａ−１〜６１ａ−ｎ…ＡＳ
６２ａ−１〜６２ａ−ｎ…アプリケーション
７１−１〜７１−ｍ…ＡＳ
８１−１〜８１−ｋ…ＡＳ
９１−１〜９１−ｊ…ＡＳ
９２−１〜９２−ｉ…ＡＳ
【図１】
2008103930.tif 000003
【図２】
2008103930.tif 000004
【図３】
2008103930.tif 000005
【図４】
2008103930.tif 000006
【図５】
2008103930.tif 000007
【図６】
2008103930.tif 000008
【図７】
2008103930.tif 000009
【図８】
2008103930.tif 000010
【図９】
2008103930.tif 000011
【図１０】
2008103930.tif 000012